(57)【要約】      （修正有）【課題】取り外しが容易な機密二重膜からなる傾斜状の仮設屋根を提供する。【解決手段】下側後端部、又はその付近が固定状態となっている仮設屋根を形成し得るシート状の素材１の上側先端又はその付近をリング又は取っ手３１を介して傾斜状態にて張設されたワイア２１、又は架設されたポール２２に対し、摺動可能な状態にて接続し、前記シート状の素材１は変形自在あって、気密可能な二重構造を有しており、しかも前記先端部及び後端部の間に複数本のシール部１１によって区分けされ、かつ空気注入口１３と連通状態にあるパイプ形成部を設け、各パイプ形成部に対する空気の注入及び充満に伴って前記リング又は取っ手３１を介して前記ワイア２１又は前記ポール２２に沿って先端側に移行可能である傾斜状の仮設屋根。【選択図】図１
2007204971.tif 000002
【特許請求の範囲】
【請求項１】
下側後端部、又はその付近が固定状態となっている仮設屋根を形成し得るシート状の素材の上側先端又はその付近をリング又は取っ手を介して傾斜状態にて張設されたワイア、又は架設されたポールに対し、摺動可能な状態にて接続し、前記シート状の素材は変形自在あって、気密可能な二重構造を有しており、しかも前記先端部及び後端部の間に複数本のシール部によって区分けされ、かつ空気注入口と連通状態にあるパイプ形成部を設け、各パイプ形成部に対する空気の注入及び充満に伴って前記リング又は取っ手を介して前記ワイア又は前記ポールに沿って先端側に移行可能であることに基づく傾斜状の仮設屋根。
【請求項２】
シート状の素材の先端部と後端部との中途部位を、リング又は取っ手を介して、ワイア又は複数本のポールに対し、摺動可能な状態にて接続されていることを特徴とする請求項１記載の傾斜状の仮設屋根。
【請求項３】
シート状の素材の下側後端部又はその付近が、地面又は床に固定されていることを特徴とする請求項１記載の傾斜状の仮設屋根。
【請求項４】
シート状の素材の下側後端部又はその付近が、複数本のワイア又はポールの下側後端部側を支持している柱、又は当該柱と一体をなす支持枠に固定されていることを特徴とする請求項１記載の傾斜状の仮設屋根。
【請求項５】
シート状の素材が、伸縮自在のゴム弾性を有しており、空気注入口から空気を排出させた際、各パイプは、下側後方に向かって縮小しながら摺動可能であることを特徴とする請求項１記載の傾斜状の仮設屋根。
【請求項６】
ワイア又はポールの上側先端部を支えている柱の上端部又はその付近に、滑車又はリング若しくは取っ手を固着し、シート状の素材の上側先端部又はその付近と接続した紐が前記滑車又はリング若しくは取っ手を介して移動又は摺動自在な状態にて下方向に垂下して接続されていることを特徴とする請求項１記載の傾斜状の仮設屋根。
【請求項７】
ワイア又はポールの下側後端部側を支えている柱の上端又はその付近に、滑車又はリング若しくは取っ手を固着し、シート状の素材の上側先端部又はその付近と接続した紐を前記滑車又はリングを介して移動又は摺動自在な状態にて下方に垂下して接続されていることを特徴とする請求項１記載の傾斜状の仮設屋根。
【請求項８】
競技場又は球場の外側周囲に位置している観客席をカバーする傾斜上の仮説屋根であって複数本のワイア又は複数本のポールの全ての隣接し合う横方向間隔又は一部の隣接し合う横方向間隔は、上側となるに従って、順次狭幅となることを特徴とする請求項１記載の傾斜状の仮設屋根。
【発明の詳細な説明】
【技術分野】
【０００１】
本発明は、野外におけるスポーツ施設、野外劇場、集会場などに使用する傾斜状の仮設屋根を対象としている。
【背景技術】
【０００２】
傾斜状の仮設屋根の構成は、既に従来技術においても、色々と提唱されている。
【０００３】
例えば、特許文献１においては、伸縮自在の二重膜材を各桟の間に接合し、かつ当該桟が複数の梁の長さ方向に移動自在であって、しかも二重膜材の内部を連通する連通孔を形成した構成を採用している。
【０００４】
しかしながら、前記構成においては、各桟と二重膜材との連通構成は極めて複雑であり、しかも各桟が各梁に沿って移動する構成もまた、極めて複雑である。
【０００５】
特許文献２においては、膜構造の開閉屋根に対し、放射状に張設した複数本の走行用ワイアによって、開閉自在の屋根の構成を提唱している。
【０００６】
しかしながら、当該構成においても、前記走行用ワイアを移動するための台車、更にはこれらの台車を相互に連結する張力付与ワイアなどを必要としており、決して簡便な構成と評価することができない。
【０００７】
即ち、特許文献１及び同２などによる従来技術においては、簡単な構成であってしかも簡便に取り付けることが可能とする傾斜上の仮設屋根は該当しない。
【０００８】
他方、野外におけるスポーツ施設、野外劇場、集会場などにおいて、構成が簡単であり、しかも簡単に屋根の上方のカバーの架設及びその取り外しができるような傾斜状仮設屋根の設置は、強く希望されるところである。
【０００９】
しかるに、現時点では、このような要請に対応し得る構成は提唱されていない。
【００１０】
【特許文献１】特開２００１−１５２５９５号公報
【特許文献２】特開２００２−２２０９４８号公報
【発明の開示】
【発明が解決しようとする課題】
【００１１】
本発明は、前記の如き従来技術の状況に鑑み、簡単な構成ながら上方のカバー及びその取り外しを容易に実現し得る傾斜状の仮設屋根の構成を提供することを課題としている。
【課題を解決するための手段】
【００１２】
前記課題を解決するため、本発明の基本構成は、下側後端部、又はその付近が固定状態となっている仮設屋根を形成し得るシート状の素材の上側先端又はその付近をリング又は取っ手を介して傾斜状態にて張設されたワイア、又は架設されたポールに対し、摺動可能な状態にて接続し、前記シート状の素材は変形自在であって、気密可能な二重構造を有しており、かつ前記先端部及び後端部の間に複数本のシール部によって区分けされ、しかも空気注入口と連通状態にあるパイプ形成部を設け、各パイプ形成部に対する空気の注入及び充満に伴って前記リング又は取っ手を介して前記ワイア又は前記ポールに沿って先端側に移行可能であることに基づく傾斜状の仮設屋根からなる。
【発明の効果】
【００１３】
前記基本構成においては、各シール部によって区分けされたパイプ形成領域に、空気注入口からの注入を介した空気の充満に伴い、二重構造によって気密性を有しているシート状の素材は、パイプ形状を実現するために必然的に長手方向に伸張するため、シート状の素材の上側先端側は、順次ワイア又はポールに沿って上側に摺動しながら移行することによって自動的に上方をカバーすることが可能となり、逆に、上方をカバーした状態を取り外すことは、空気注入口から空気を排出したことによって縮んだ状態にあるシート状の素材を下側に引き寄せることによって、簡単に実現することが可能となる。
【発明を実施するための最良の形態】
【００１４】
本発明の仮設屋根を構成するシート状の素材は、通常布又はプラスチックシートを採用している。
【００１５】
図１（ａ）、（ｂ）は、ワイアを張設し、当該ワイアにシート状の素材１の上側先端が滑車３２を介して摺動自在に接続された状態を示しており、図２（ａ）、（ｂ）は、複数本のポール２２を架設し、シート状の素材１の上側先端がリング３１を介して摺動自在に接続された実施形態を夫々示している。
【００１６】
尚、シート状の素材１を安定した状態に支持するには、１個のシート状の素材１に対しワイア２１又はポール２２を数本設けるとよい。
【００１７】
何れの実施形態においても、シート状の素材１は、通常防水可能なプラスチックシート又は布によって形成されているが、図３（ａ）、（ｂ）、(ｃ)、(ｄ)に示すように、先端から後端方向に複数本のシール部１１によってシールされ、当該シール部１１によって囲まれた領域は、細長形状のパイプ形成領域１２に該当している。
【００１８】
尚、図３において、（ａ）は各パイプ形成領域が先端付近及び後端部付近の領域にて連通している場合を示しており、（ｂ）はパイプ形成領域が交互に先端部及び後端部を介して連通することによって蛇行状を形成している場合を示しており、（ｃ）はパイプ形成領域が後端から先端となるに従って順次狭幅となることによる実施例に適応し得る場合を示しており、(ｄ)は前記蛇行状の場合であって、かつ前後方向よりも左右方向が広幅となった設計状態の場合を示している。
【００１９】
図３（ａ）、（ｂ）、（ｃ）、（ｄ）に示すように、各パイプ形成領域１２は、空気注入口１３と連通し合っていることから、前記空気注入口１３（通常は、作業の便宜上、下側後端の付近に設けられている場合が多い。）から、空気を注入し、かつ各パイプ形成領域１２を充満した場合には、パイプ形成領域１２は膨張し、当該膨張に伴って自ずと先端部は図１（ａ）に示すようにリング３１を介してワイア２１を上側方向に摺動するか、又は図２（ａ）に示すように、取っ手３１を介してポール２２に沿っている側に移動するが、下側後端部は、固着された状態を維持していることから、結局図１（ａ）、図２（ａ）に示すように傾斜上の屋根を形成することになる。
【００２０】
これに対し、空気注入口１３から空気を排出した場合には、各チューブ形成領域は、単なる２枚のシート状態と化し、既にパイプ上の膨張した状態は喪失している。
【００２１】
このため、図１（ｂ）及び図２（ｂ）に示すように、シート状の素材１を下方に引っ張り、上方部をカバーしていない状態とすることが可能となる。
【００２２】
特に、シート状の素材１が、伸縮自在のゴム弾性を有しており、空気注入口１３から空気を排出させた際、各パイプは、下側後方に向かって縮小しながら摺動可能であることを特徴とする実施形態の場合には、ゴムの収縮に伴って速やかにシート状の素材１が上方をカバーしていない状態を実現することが可能となる。
【００２３】
前記基本構成においては、シート状の素材１の先端部又はその付近は、リング又は取っ手３１を介して、ワイア２１又はポール２２に対し、摺動可能な状態にて接続しているが、図１（ａ）に示すように、シート状の素材１における先端部と後端部との中途部位において、リング又は取っ手３１を介してワイア２１又はポール２２と摺動自在な状態にて接続することは、当然可能である（尚、図１（ａ）はリング３１の場合を示しており、取っ手３１を示している訳ではなく、図２（ａ）は、シート状の素材１の先端部のみが取っ手３１を介して摺動自在に接続された状態を示す。）。
【００２４】
シート状の素材１の下側後端部又はその付近は、固定状態であることを要件としており、当該固定状態は、図１（ａ）、（ｂ）に示すように、床又は地面に固着する実施形態、又は図２（ａ）、（ｂ）に示すように、ワイア２１又はポール２２の下側後端部側を支持している柱に固着することによる実施形態の何れをも採用することが可能である（尚、前記柱に固定されている枠に、シート状の素材１の下側後端部を固定する実施形態も当然可能であるが、図２（ａ）、（ｂ）においては、そのような指示枠による固定状態の図示を省略している。）。
【００２５】
パイプ上の膨張に伴うシート状の素材１の上側先端部又はその付近の上方への移動とは別に、図１（ａ）、（ｂ）に示すように、ワイア２１又はポール２２の上側先端部を支えている柱の上端部又はその付近に、滑車又はリング若しくは取っ手３２を固着し、シートの先端部又はその付近と接続した紐が前記滑車又はリング若しくは取っ手３２を介して移動又は摺動自在な状態にて下方向に垂下して接続されていることを特徴とする実施形態を採用することによって、垂れ下がった紐５を下方に引っ張り、シート状の素材１の先端部又はその付近を上方に移動させ、スピーディーな仮設屋根の形成を実現することが可能となる。
【００２６】
同様に、図２（ａ）、（ｂ）に示すように、ワイア２１又はポール２２の下側後端部側を支えている柱の上端又はその付近に、滑車又はリング若しくは取っ手３２を固着し、シートの上側先端部又はその付近と接続した紐５を前記滑車又はリング３２を介して移動又は摺動自在な状態にて下方に垂下して接続されていることを特徴とする実施形態を採用することによって、シート状の素材１を下方に引き降ろすことに代えて、紐５を下方に引くことによって、上方をカバーしていない状態を速やかに実現することが可能となる。
【００２７】
尚、図１（ａ）、（ｂ）及び図２（ａ）、（ｂ）のように、紐５を上方に移動するか又は下方に引きおろす際、夫々先端側の柱４１又は後端側の柱４２に滑車（図示せず）を設け、当該滑車を回すことによって紐５を下方に引くか、又は上方に移動するような実施形態は当然採用可能である。
【００２８】
以下、実施例に即して説明する。
【実施例】
【００２９】
実施例においては、図４（ａ）、（ｂ）に示すように、競技場又は球場の外側周囲に位置している観客席をカバーする傾斜上の仮説屋根であって複数本のワイア２１又は複数本のポール２２の全ての隣接し合う横方向間隔又は一部の隣接し合う横方向間隔は、上側となるに従って、順次狭幅となることを特徴としている。
【００３０】
通常、野外の競技場又は球場などの場合には、観客席は、中央の運動場を囲んだ状態となっており、通常、図４（ａ）、（ｂ）にそれぞれ示すように、円輪状領域又は両側が半円輪形状であって、中央部分が略平行直線状の領域の範囲内に配置されている。
【００３１】
このような領域の範囲の場合には、必然的に屋根を形成している全領域又は一部領域においては、下側後端側よりも、上側先端側の方が、狭幅であることが必要となり、当該狭幅を実現するために、ワイア２１又はポール２２は、全ての隣接し合う領域（図４（ａ）の円輪状領域の場合）、又は一部の隣接し合う領域（図４（ｂ）の両側が半円輪形状であって、中央部分が略平行直線状の場合）において、隣接し合う幅を上側先端側の位置となるに従って、狭幅に設計している。
【００３２】
このような狭幅領域にシートがスムーズに適応するためには、図３（ｃ）に示すように、上側先端となるに従って、シール部１１を広幅とし、パイプ形成領域１２を順次狭幅とするような構成を採用した場合には、シート状の素材１が変形自在であることから、上側先端においても格別の支障を生ずることはない。
【００３３】
このように、本発明は、変形自在のシート状の素材１を素材としているため、図４（ａ）、（ｂ）に示すような領域における傾斜状の仮設屋根に適用することが可能である。
【産業上の利用可能性】
【００３４】
本発明は、前記のように、屋外における運動施設、観劇施設、集会場などに利用可能であるが、これらの利用だけではなく、所定の期間の工事現場、更には、災害避難現場などにおいても利用可能である。
【図面の簡単な説明】
【００３５】
【図１】ワイアを張設した場合の実施形態に関する側断面図であって、（ａ）は空気を注入してシート状の素材の上側先端部又はその付近を上方に摺動させることによって上側をカバーした状態を示しており、（ｂ）は空気を排出してシート状の素材を下方に引っ張ることによって上側をカバーしていない状態を示している。
【図２】ポールを架設した実施形態の側断面図であって、（ａ）は空気を注入してシート状の素材の上側先端部又はその付近を上方に摺動させることによって上側をカバーした状態を示しており、（ｂ）は空気を排出してシート状の素材を下方に引っ張ることによって上側をカバーしていない状態を示している。
【図３】シート状の素材の平面図を示しており、（ａ）は各パイプ形成領域が先端付近及び後端部付近の領域にて連通している場合を示しており、（ｂ）はパイプ形成領域が交互に先端部及び後端部を介して連通することによって蛇行状を形成している場合を示しており、（ｃ）はパイプ形成領域が後端から先端となるに従って順次狭幅となることによる実施例に適応し得る場合を示しており、(ｄ)は前記蛇行状の場合であって、かつ前後方向よりも左右方向が広幅となった設計状態の場合を示している。
【図４】野外運動施設の観客席を形成する領域を示す平面図であって、（ａ）は円輪状領域の場合を示しており、（ｂ）は両側が半円輪状領域であって、中央が平行直線形状である場合を示している。
【符号の説明】
【００３６】
１  シート状の素材
１１  シール部
１２  パイプ形成領域
１３  空気注入口
２１  ワイア
２２  ポール
３１  リング又は取っ手
３２  滑車
４１  先端側の柱
４２  後端側の柱
５  紐
６  野外競技施設
６１  運動場の領域
６２  観客席の領域
【図１】
2007204971.tif 000003
【図２】
2007204971.tif 000004
【図３】
2007204971.tif 000005
【図４】
2007204971.tif 000006